(57)【特許請求の範囲】
【請求項１】
複数枚並設されているフィンに蛇行状に貫通している伝熱管と該伝熱管の内部に水を送水するための水入口及び水出口とで構成されている熱交換器コイルを、室外機の吹き出し口の前面に、上面が前方斜め上方に向くように設け、かつ、該熱交換器コイルの左右の側面及び天上面を透明板で囲み、空気調和機の冷房運転時、前記吹き出し口から放出される熱風の熱及び太陽の放射熱を、前記熱交換器コイルの伝熱管内に流す水に回収させるようにしたことを特徴とする空気調和機。
【請求項２】
複数枚並設されているフィンに蛇行状に貫通している伝熱管と該伝熱管の内部に水を送水するための水入口及び水出口とで構成されている熱交換器コイルを、室外機の吹き出し口の前面に、上面が前方斜め上方に向くように設け、該熱交換器コイルに外気を吹き付ける為のクロスフローファンを設け、空気調和機の冷房運転時、前記吹き出し口から放出される熱風の熱、太陽の放射熱及び外気の熱を、前記熱交換器コイルの伝熱管内に流す水に回収させるようにしたことを特徴とする空気調和機。
【請求項３】
前記熱交換器コイルに外気を吹き付ける為のクロスフローファンを設けたことを特徴とする請求項１に記載の空気調和機。
【請求項４】
前記クロスフローファンを、前記熱交換器コイルの頂上部と麓部に設けたことを特徴とする請求項２又は３に記載の空気調和機。
【請求項５】
室外機カバーの上面に、太陽電池パネルを配設し、該太陽電池パネルの出力により前記クロスフローファンを駆動するようにしたことを特徴とする請求項２，３又は４に記載の空気調和機。
【請求項６】
前記太陽電池パネルの裏面に水タンクを設け、該水タンクに水を流し、太陽電池パネルの熱を、流す水により回収させるようにしたことを特徴とする請求項５に記載の空気調和機。
【請求項７】
前記太陽電池パネルの裏面に伝熱管を蛇行状に設け、該伝熱管に水を流し、太陽電池パネルの熱を、流す水により回収させるようにしたことを特徴とする請求項５に記載の空気調和機。
【請求項８】
前記太陽電池パネルの裏面に設けた水タンク又は伝熱管に、水とお湯を選択的に流すことができるようにしたことを特徴とする請求項６又は７に記載の空気調和機。
【請求項９】
室外機内の冷媒配管の熱交換器近傍外周に水を流通可能なタンクを設け、冷媒の熱をタンクを流れる水により回収させるようにしたことを特徴とする請求項１，２，３，４，５，６，７又は８に記載の空気調和機。
【請求項１０】
前記タンクに、水とお湯を選択的に流すことができるようにしたことを特徴とする請求項９に記載の空気調和機。
【請求項１１】
前記熱交換器コイルの伝熱管、太陽電池パネルの裏面に設けた伝熱管又は水タンクの水出口配管にバルブを設け、該バルブの手前にエアー抜きを設けると共に、前記両伝熱管，水タンク及びタンクの水入口配管に排水バルブを設けたことを特徴とする請求項１，２，３，４，５，６，７，８，９又は１０に記載の空気調和機。
【発明の詳細な説明】
【技術分野】
【０００１】
本発明は、光熱費の削減及び地球温暖化の原因となっている大気への熱負荷を軽減することを図った空気調和機に関するものである。
【背景技術】
【０００２】
空気調和機は、室内に設置され、内部の熱交換器で冷媒と室内の空気との間で熱交換を行う室内機と、室内機と冷媒管を介して接続され、室内機で熱交換を行った冷媒と外気との熱交換を行う室外機とを備えている。そのような従来の空気調和機の室外機は、冷房運転において、冷媒と熱交換して温度が上昇した空気を吹き出し口から放出させるようにしている。
【発明の開示】
【発明が解決しようとする課題】
【０００３】
しかしながら、そのようにして室外機から放出される熱風は、大気への熱負荷となって環境上の問題となるだけでなく、熱風が持っているエネルギーを利用せずに無駄に捨てているという問題点もあった。さらに、暖かい外気及び太陽の放射熱の自然エネルギーも有効利用できていなかった。
【０００４】
本発明は、そのような問題点に鑑み、次のことを目的とするものである。
（イ）空気調和機の室外機の冷房運転において、吹き出し口から放出される熱風を冷却すると共に、熱風を有効利用する。
（ロ）太陽の放射熱及び暖かい外気を有効利用する。
（ハ）冷房運転において、室外機内の高温になる冷媒配管を有効利用すると共に、効率の良い冷房運転をする。
（二）暖房運転において、霜取りをすると共に、効率の良い暖房運転をする。
（ホ）太陽電池の温度上昇による発電電力の効率低下を抑える。
（ヘ）太陽電池の受光面表面の積雪を溶かす。
【課題を解決するための手段】
【０００５】
前記課題を解決するため、本願の請求項１にかかる発明は、複数枚並設されているフィンに蛇行状に貫通している伝熱管と該伝熱管の内部に水を送水するための水入口及び水出口とで構成されている熱交換器コイルを、室外機の吹き出し口の前面に、上面が前方斜め上方に向くように設け、かつ、該熱交換器コイルの左右の側面及び天上面を透明板で囲み、空気調和機の冷房運転時、前記吹き出し口から放出される熱風の熱及び太陽の放射熱を、前記熱交換器コイルの伝熱管内に流す水に回収させるようにしたことを特徴とする。
【０００６】
また、本願の請求項２にかかる発明は、複数枚並設されているフィンに蛇行状に貫通している伝熱管と該伝熱管の内部に水を送水するための水入口及び水出口とで構成されている熱交換器コイルを、室外機の吹き出し口の前面に、上面が前方斜め上方に向くように設け、該熱交換器コイルに外気を吹き付ける為のクロスフローファンを設け、空気調和機の冷房運転時、前記吹き出し口から放出される熱風の熱、太陽の放射熱及び外気の熱を、前記熱交換器コイルの伝熱管内に流す水に回収させるようにしたことを特徴とする。
【０００７】
また、本願の請求項３にかかる発明は、請求項１にかかる発明において、前記熱交換器コイルに外気を吹き付ける為のクロスフローファンを設けたことを特徴とする。
【０００８】
また、本願の請求項４にかかる発明は、請求項２又は３にかかる発明において、前記クロスフローファンを、前記熱交換器コイルの頂上部と麓部に設けたことを特徴とする。
【０００９】
また、本願の請求項５にかかる発明は、請求項２、３又は４にかかる発明において、室外機カバーの上面に、太陽電池パネルを配設し、該太陽電池パネルの出力により前記クロスフローファンを駆動するようにしたことを特徴とする。
【００１０】
また、本願の請求項６にかかる発明は、請求項５にかかる発明において、前記太陽電池パネルの裏面に水タンクを設け、該水タンクに水を流し、太陽電池パネルの熱を、流す水により回収させるようにしたことを特徴とする。
【００１１】
また、本願の請求項７にかかる発明は、請求項５にかかる発明において、前記太陽電池パネルの裏面に伝熱管を蛇行状に設け、該伝熱管に水を流し、太陽電池パネルの熱を、流す水により回収させるようにしたことを特徴とする。
【００１２】
また、本願の請求項８にかかる発明は、請求項６又は７にかかる発明において、前記太陽電池パネルの裏面に設けた水タンク又は伝熱管に、水とお湯を選択的に流すことができるようにしたことを特徴とする。
【００１３】
また、本願の請求項９にかかる発明は、請求項１，２，３，４，５，６，７又は８にかかる発明において、室外機内の冷媒配管の熱交換器近傍外周に水を流通可能なタンクを設け、冷媒の熱をタンクを流れる水により回収させるようにしたことを特徴とする。
【００１４】
また、本願の請求項１０にかかる発明は、請求項９にかかる発明において、前記タンクに、水とお湯を選択的に流すことができるようにしたことを特徴とする。
【００１５】
また、本願の請求項１１にかかる発明は、請求項１，２，３，４，５，６，７，８、９又は１０にかかる発明において、前記熱交換器コイルの伝熱管、太陽電池パネルの裏面に設けた伝熱管又は水タンクの水出口配管にバルブを設け、該バルブの手前にエアー抜きを設けると共に、前記両伝熱管，水タンク及びタンクの水入口配管に排水バルブを設けたことを特徴とする。
【発明の効果】
【００１６】
本発明の空気調和機は、次のような効果を奏する。
すなわち、請求項１にかかる発明においては、複数枚並設されているフィンに蛇行状に貫通している伝熱管と該伝熱管の内部に水を送水するための水入口及び水出口とで構成されている熱交換器コイルを、室外機の吹き出し口の前面に、上面が前方斜め上方に向くように設け、かつ、熱交換器コイルの左右の側面及び天上面を透明板で囲み、空気調和機の冷房運転時、前記吹き出し口から放出される熱風の熱及び太陽の放射熱を、前記熱交換器コイルの伝熱管内に流す水に回収させるようにした。その結果、冷房運転において、吹き出し口から放出される熱風は、水により冷却された熱交換器コイルの伝熱管及びフィンに接触することにより、冷却され大気中へ放出するので、大気への熱負荷は軽減する。逆に、吹き出し口の前面に傾斜して設けられている、熱交換器コイルの伝熱管の内部の水は、熱風により温まる。また、熱交換器コイルを、上面が前方斜め上方に向くように設けたので、太陽の放射熱を有効に捕らえて利用することもでき、熱交換器コイルの伝熱管の内部の水はより一層温まる。さらに、熱交換器コイルの左右の側面及び天上面を透明板で囲んだので、太陽光を透過させながら吹き出し口から放出される熱風を効率よく熱交換器コイルに当てることができ、吹き出し口から放出される熱風の熱と、太陽の放射熱を効率よく熱交換器コイルに集熱することができる。そのようにして温まった水は、温水として有効に利用でき、例えば、浴槽へ使用すれば、風呂の追い焚きの光熱費の削減及び大気への熱負荷の軽減になる。
【００１７】
また、請求項２にかかる発明においては、複数枚並設されているフィンに蛇行状に貫通している伝熱管と該伝熱管の内部に水を送水するための水入口及び水出口とで構成されている熱交換器コイルを、室外機の吹き出し口の前面に、上面が前方斜め上方に向くように設け、該熱交換器コイルに外気を吹き付ける為のクロスフローファンを設け、空気調和機の冷房運転時、前記吹き出し口から放出される熱風の熱、太陽の放射熱及び外気の熱を、前記熱交換器コイルの伝熱管内に流す水に回収させるようにした。その結果、大気への熱負荷が軽減し、熱交換器コイルの伝熱管の内部の水は、熱風により温まり、さらに、太陽の放射熱を有効に捕らえて利用することができる上、クロスフローファンの運転により、暖かい外気を熱交換器コイルに吹き付けることにより効率よく熱交換器コイルの内部の水を温めることができる。
【００１８】
また、本願の請求項３にかかる発明は、請求項１にかかる空気調和機において、前記熱交換器コイルに外気を吹き付ける為のクロスフローファンを設けたので、太陽光を透過させながら吹き出し口から放出される熱風を効率よく熱交換器コイルに当てることができ、吹き出し口から放出される熱風の熱と、太陽の放射熱を効率よく熱交換器コイルに集熱することができる上、暖かい外気を効率よく熱交換器コイルに吹き付けることができる。
【００１９】
また、請求項４にかかる発明においては、請求項２又は３にかかる空気調和機において、クロスフローファンを、熱交換器コイルの頂上部と麓部に設けたので、暖かい外気を効率よく熱交換器コイルに吹き付けることができる。
【００２０】
また、請求項５にかかる発明においては、請求項２，３又は４にかかる空気調和機において、室外機カバーの上面に、太陽電池パネルを配設し、該太陽電池パネルの出力により前記クロスフローファンを駆動するようにしたので、クロスフローファンの運転を省エネ化できる。
【００２１】
また、請求項６にかかる発明においては、請求項５にかかる空気調和機において、太陽電池パネルの裏面に水タンクを設け、該水タンクに水を流し、太陽電池パネルの熱を、流す水により回収させるようにしたので、太陽の放射熱により太陽電池パネルが温度上昇しても、温度上昇による発電電力の効率低下を水の冷却により抑えることができるとともに、その水を温水として利用する際に、温水の温度上昇をより効率化できる。
【００２２】
また、請求項７にかかる発明においては、請求項５にかかる空気調和機において、太陽電池パネルの裏面に伝熱管を蛇行状に設け、該伝熱管に水を流し、太陽電池パネルの熱を、流す水により回収させるようにしたので、請求項５にかかる発明と同様に、太陽の放射熱により太陽電池パネルが温度上昇しても、温度上昇による発電電力の効率低下を水の冷却により抑えることができるとともに、その水を温水として利用する際に、温水の温度上昇をより効率化できる。
【００２３】
また、請求項８にかかる発明においては、請求項６又は７にかかる空気調和機において、太陽電池パネルの裏面に設けた水タンク又は伝熱管に、水とお湯を選択的に流すことができるようにしたので、太陽電池パネルの受光面に積雪したとき、お湯を流すことにより、雪をお湯の熱で溶かすことができ、積雪による発電効率の低下を防止できる。その湯として、風呂の残り湯を用いれば、さらに効率化できる。
【００２４】
また、請求項９にかかる発明においては、請求項１，２，３，４，５，６、７又は８にかかる空気調和機において、室外機内の冷媒配管の熱交換器近傍外周に水を流通可能なタンクを設け、冷媒の熱をタンクを流れる水により回収させるようにしたので、冷媒配管の内部の冷媒を冷却して冷房効率を上げ、冷却後の水温が上昇した水をお湯として有効利用することにより、光熱費のさらなる削減になる。
【００２５】
また、請求項１０にかかる発明においては、請求項９にかかる空気調和機において、タンクに、水とお湯を選択的に流すことができるようにしたので、冬季に暖房運転するとき、タンクにお湯を流すことにより、冷媒配管の内部の冷媒を加熱して暖房効率を上げると共に、冷媒配管から室外熱交換器のフィンへの伝熱により室外機のフィンの霜取りもできる。その湯として、風呂の残り湯を用いれば、さらに効率化できる。
【００２６】
また、本願の請求項１１にかかる発明においては、請求項１，２，３，４，５，６，７，８，９又は１０にかかる空気調和機において、熱交換器コイルの伝熱管、太陽電池パネルの裏面に設けた伝熱管又は水タンクの水出口配管にバルブを設け、該バルブの手前にエアー抜きを設けると共に、前記両伝熱管，水タンク及びタンクの水入口配管に排水バルブを設けたので、配管内に混入するエアーを抜くことによりスムーズに水を流動させることができるようになると共に、水入口配管に設けた排水バルブにより、冬季には、タンク及び配管内の水を排水して凍結を防止することができる。
【発明を実施するための最良の形態】
【００２７】
以下、本発明の実施するための形態を図１〜図２０に基づいて説明する。
【実施例】
【００２８】
図１は、空気調和機の構成図である。図１において、本発明の空気調和機は、従来と同様に室外機１，室内機２，冷媒配管３，信号線４にて構成されている。
【００２９】
図２は、本発明の一実施例に係る空気調和機の断面図である。図２において、従来の室外機１の吹き出し口５を境に、本発明の室外機は、従来の室外機１と熱交換器コイル室６に区画されている。室外機１には、室外熱交換器８とファンモーター９の運転により回転するファン１０があり、圧縮機（図示せず）と制御回路（図示せず）がある。さらに室外機１カバーの上面に、太陽電池ユニット１１が傾斜させて配置され、太陽電池ユニット１１の表面に太陽電池パネル１２が密着して貼られている。
【００３０】
熱交換器コイル室６には、吹き出し口５の前面に、熱交換器コイル１３を、上面が前方斜め上方に向くように傾斜させてベース７の上に設けている。そして、熱交換器コイル１３の左右の側面及び天井面には、図３に示すように、透明板１４を設けて、熱交換器コイル１３を囲むようにしている。さらに、図４に示すように、傾斜して設けている熱交換器コイル１３の頂上部及び麓部には、クロスフローファン１５，１６を設けている。
【００３１】
熱交換器コイル１３は、図５に示すような構成になっている。すなわち、熱交換器コイル１３は、複数枚並設されているフィン１７と、それらフィン１７に蛇行状に貫通している伝熱管１８と、伝熱管１８の内部に水道水を送水する為の水道水入口１９及び水道水出口２０とよりなる。                                                                        
【００３２】
図６は、本発明の空気調和機の室外機の斜視図である。図６において、熱交換器コイル１３を室外機１の吹き出し口５前面に傾斜させてベース７の上に設け、熱交換器コイル１３の左右の側面及び天上面を透明板１４で囲んで、太陽の放射熱を熱交換器コイル１３に集熱すると共に、熱交換器コイル１３に暖かい外気を吹き付ける為に、熱交換器コイル１３の頂上部及び麓部にそれぞれのクロスフローファン１５，１６を設け、クロスフローファン１５，１６は、太陽電池パネル１２の発電電力又は常用交流電源で運転できるようになっている。
【００３３】
図７は、室外機をベースの上に設け、室外機の上面に太陽電池ユニットを設けた状態を示す斜視図である。図７に示すように、室外機１をベース７の上に設け、室外機１カバーの上面には、太陽電池ユニット１１を設けている。太陽電池ユニット１１は、図８（Ａ）に示すように、水又は風呂の残り湯を蓄えるタンク２１を傾斜させて配設し、タンク２１に水又は風呂の残り湯を送水する為の水入口２２及び水出口２３が設けられている。そして、図８（Ｂ）に示すように、該タンク２１の表面には、太陽電池パネル１２を密着させて設けている。
【００３４】
太陽電池ユニット１１は、図９（Ａ）で示すように、プレート２４の上面に伝熱管２５を蛇行状に配管し、伝熱管２５に水又は風呂の残り湯を送水する為の水入口２２及び水出口２３とを設け、図９（Ｂ）に示すように、伝熱管２５の表面に太陽電池パネル１２を密着させて設けるようにしてもよい。
【００３５】
図１０は、四方弁から室外熱交換器に接続されている冷媒配管を覆うタンクの斜視図である。図１０において、室外機室内の四方弁２６から室外熱交換器８へ接続している冷媒配管２７をタンク２８で覆うと共に、タンク２８の内部に送水する為の水入口２９及び水出口３０を設けている。
【００３６】
図１１は、室外熱交換器から膨張弁に接続されている冷媒配管を覆うタンクの斜視図である。図１１において、室外機室内の膨張弁３１から室外熱交換器８へ接続している冷媒配管３２をタンク３３で覆うと共に、タンク３３の内部に送水する為の水入口３４及び水出口３５を設けている。
【００３７】
図１２は、四方弁に接続されている冷媒配管を覆うタンクの断面図である。図１２において、タンク２８の内部の構造は、タンク内部を冷媒配管２７が貫通して、送水する為の水入口２９及び水出口３０を設けられている。タンク３３も同じ構造である。
【００３８】
ここで、本発明の空気調和機の冷凍サイクルについて説明する。図１３は、空調機調和機の冷凍サイクルを示す図である。冷凍サイクルは、大きく分けると室外機１、室内機２で構成されている。室外機内の圧縮機３６から吐出された冷媒は、四方弁２６を介して、冷房運転時はタンク２８を通り、室外熱交換器８を通って、もう一つのタンク３３を通り、膨張弁３１を通って、室内熱交換器３７を通り、四方弁２６を経て圧縮機３６に戻る。
【００３９】
このような冷凍サイクルにおいて、この空気調和機では、冷媒が二つのタンク２８及び３３を通過する際、タンク２８及び３３内の水道水により冷媒が冷却される。そのようにして冷媒が冷却されることにより、冷房効率は上がり節電となる。逆に、タンク２８及び３３内の水道水の水温は上昇して、浴槽３９へ送水することにより、風呂の追い焚きの光熱費の削減及び大気への熱負荷の軽減になる。
【００４０】
図１４は、空調機調和機の暖房サイクルを示す図である。暖房運転時には、四方弁２６の動作により上記の冷凍サイクルと逆のサイクルを進む。室外機内の圧縮機３６から吐出された冷媒は四方弁２６を通り、室内熱交換器３７を通って、膨張弁３１を通り、タンク３３を通って、室外熱交換器８を通り、もう一つのタンク２８を通って、四方弁２６を経て圧縮機３６に戻る。そして、冷媒が二つのタンク２８，３３を通過する際、タンク２８，３３内の風呂の残り湯により冷媒は温められることにより、暖房効率は上がり、節電となると共に室外熱交換器８のフィンの霜取りにも効果がある。
【００４１】
図１５は、空調機調和機の室外機の冷房運転状態を示す断面図である。図１５に示すように、この様に構成された室外機１及び熱交換器室６の冷房運転において、室外機１のファンモーター９が起動してファン１０の回転により、外気は矢印の方向へ進む。外気は、室外機内に吸い込まれ熱交換器８を通過することにより加熱され、熱風となって吹き出し口５から放出され、熱交換器コイル１３へ送風され、熱交換器コイル１３は、熱風を捕らえる。
【００４２】
図１６は、室外機において水道水を温めて浴槽へ送水する使用状態を示す斜視図である。熱交換器コイル１３において、図１６に示すように、水道給水バルブ４０を開くと、外気温度より低い水温の水道水は配管４１を通り、熱交換器コイル１３の水道水入口１９から伝熱管１８へ送水される。すると、水道水は銅製の伝熱管１８及びアルミニュウムフィン１７を冷却する。そのように冷却された伝熱管１８及びフィン１７に接触することにより、吹き出し口５から放出された熱風は冷却され大気中へ放出されるので、大気への熱負荷は軽減する。
【００４３】
逆に、吹き出し口５の前面に傾斜して設けられている、熱交換器コイル１３の伝熱管１８の内部の水道水は、熱風により温まる。温まった水道水は、配管４２を通り水道水が溢れないように、自動的に所定の水位で止まる装置であるオーバーブロー防止装置４３が作動するまで浴槽３９へ給水される。そのようにして温まった水道水を、浴槽３９へ給水することにより、風呂の追い焚きの光熱費の削減及び大気へ放出される熱負荷の軽減となる。
【００４４】
また、室外機を使用しない時で、外気温度が水道水温より高い場合、図１７で示すようにクロスフローファン１５，１６を太陽電池パネル１２の発電電力又は常用交流電源で運転して、熱交換器コイル１３に暖かい外気を矢印の方向に吹きつけ、伝熱管１８の内部の水道水を温める。水温が上昇した水道水を水出口２０より、配管４２を通り、浴槽３９へ給水することにより、風呂の追い焚きの光熱費の削減及び大気への熱負荷の軽減となる。
【００４５】
また、図１６に示す太陽電池ユニット１１の水入口２２より、水道水を送水することにより、太陽電池ユニット１１に密着して貼り付けている太陽電池パネル１２を冷却する。更に、図１０に示す室外機１内の冷媒配管２７及び図１１で示す冷媒配管３２を冷却する為に、図１３に示すように、室外機１内のタンク２８の水入口２９へ水道水を送水し、水出口３０から配管接続４４を通して、もう一つのタンク３３の水出口３５へ送水し、水入口３４から浴槽３９へ送水する。そのようにして、水道水の冷却により太陽電池パネル１２表面の温度上昇を抑えて発電効率の低下を抑制すると共に、冷媒の冷却により冷房効率を向上させ、節電を図る。
【００４６】
逆に、太陽電池ユニット１１の内部の水道水は温まるが、温まった水道水は、更に冷媒配管内の冷媒によりタンク２８及びタンク３３内で加熱される。そのようにして加熱された水を浴槽３９へ給水することにより、風呂の追い焚きの光熱費の削減及び大気への熱負荷の軽減となる。
【００４７】
図１９は、室外機において風呂の残り湯の利用状態を示す斜視図である。冬季、積雪がある時期には、揚水ポンプ３８にて、太陽電池ユニット１１の水入口２２へ風呂の残り湯を送水することにより、太陽電池パネル１２の表面の積雪を風呂の残り湯の加熱により溶かすことができる。また、図１４で示すように、風呂の残り湯を、タンク３３の水入口３４から水出口３５を通し、配管接続４４を通して、もう一つのタンク２８の水出口３０から水入口２９を通すことにより、風呂の残り湯で、タンク２８，３３内を貫通している冷媒配管内の冷媒を加熱することができ、そのようにすれば、暖房効率を上げ節電となると共に、冷媒配管から室外熱交換器のフィンへの伝熱により室外熱交換器のフィンの霜取りにも効果がある。
【００４８】
図１８は、室外機内の冷媒配管を覆うタンクの配置図である。図１８において、冷媒配管を覆うタンク２８の水入口２９及びタンク３３の水入口３４に、それぞれ排水バルブ５１，５２を設け、配管内の水を排水することにより凍結防止をする。更に、室外機１のカバーを水入口２９，水出口３０，水入口３４，水出口３５の配管が貫通する部分にリング５３を設けて配管を固定している。
【００４９】
図２０は、空気調和機の室外機に太陽電池ユニットを備えた状態を示す斜視図である。図２０において、熱交換器コイル１３の水入口１９に排水バルブ４５を設け、太陽電池ユニット１１の水入口２２に排水バルブ４８を設けている。また、熱交換器コイル１３の水出口２０にバルブ４６を設け、バルブ４６の手前にエアー抜き４７を取り付けると共に、太陽電池ユニット１１の水出口２３にも、バルブ４９を設けバルブ４９の手前にエアー抜き５０を取り付けている。エアー抜きを取り付けたことにより、配管内に混入するエアーをスムーズに抜くことで水を流動させると共に、バルブ４６，４９により水量を調整する。
【００５０】
なお、上記実施例では、水道給水バルブ４０の先で水道水の配管を分岐させ、水道水を太陽電池ユニット１１と熱交換器コイル１３とに別々に流すようにしたが、水道水による冷却経路は、太陽電池パネル１２を冷却後に、熱交換器コイル１３を通り、吹き出し口５から放出される熱風を冷却して、熱風により温まった水道水を浴槽３９へ送水する経路としてもよい。
【図面の簡単な説明】
【００５１】
【図１】空気調和機の構成図
【図２】本発明の一実施例に係る空気調和機の断面図
【図３】熱交換器コイルの左右の側面及び天井面に透明板を備えた状態を示す斜視図
【図４】熱交換器コイルの頂上部及び麓部にクロスフローファンを設けた状態を示す斜視図
【図５】熱交換器コイルの斜視図
【図６】本発明の空気調和機の室外機の斜視図
【図７】室外機をベースの上に設け、室外機の上面に太陽電池ユニットを設けた状態を示す斜視図
【図８】太陽電池ユニットにタンクを備えた状態を示す斜視図及び太陽電池ユニットの断面図
【図９】太陽電池ユニットに伝熱管を備えた状態を示す斜視図及び太陽電池ユニットの断面図
【図１０】四方弁から室外熱交換器に接続されている冷媒配管を覆うタンクの斜視図
【図１１】室外熱交換器から膨張弁に接続されている冷媒配管を覆うタンクの斜視図
【図１２】四方弁に接続されている冷媒配管を覆うタンクの断面図
【図１３】空気調和機の冷凍サイクルを示す図
【図１４】空気調和機の暖房サイクルを示す図
【図１５】空気調和機の室外機の冷房運転状態を示す断面図
【図１６】室外機において水道水を温めて浴槽へ送水する使用状態を示す斜視図
【図１７】熱交換器コイルへ外気を吹き付けるクロスフローファンの運転図面
【図１８】室外機内の冷媒配管を覆うタンクの配置図
【図１９】室外機において風呂の残り湯の利用状態を示す斜視図
【図２０】空気調和機の室外機に太陽電池ユニットを備えた状態を示す斜視図
【符号の説明】
【００５２】
１  室外機
２  室内機                                                                                                            
３  冷媒配管
４  信号線                                                                          
５  吹き出し口                                                                          
６  熱交換器コイル室
７  ベース
８  室外熱交換器
９  ファンモーター    
１０  ファン
１１  太陽電池ユニット
１２  太陽電池パネル
１３  熱交換器コイル
１４  透明板
１５，１６  クロスフローファン                                                                      
１７  フィン
１８，２５  伝熱管                                                                    
１９，２２，２９，３４  水入口
２０，２３，３０，３５  水出口
２１  水タンク
２４  プレート
２６  四方弁
２７，３２  冷媒配管
２８，３３  タンク
３１  膨張弁
３６  圧縮器
３７  室内熱交換器
３８  揚水ポンプ
３９  浴槽
４０  水道給水バルブ
４１，４２  配管
４３  オーバーブロー防止装置
４４  配管接続
４６，４９  バルブ
４７，５０  エアー抜き
４５，４８，５１，５２  排水バルブ
５３  リング
【要約】
【課題】  光熱費の削減及び地球温暖化の原因となっている大気への熱負荷を軽減する空気調和機を提供する。
【解決手段】  複数枚並設されているフィンに蛇行状に貫通している伝熱管と該伝熱管の内部に水道水を送水する為の水入口及び水出口とで構成されている熱交換器コイル１３を、室外機１の吹き出し口５の前面に傾斜させてベース７の上に設けることにより、吹き出し口５から放出される熱風を該熱交換器コイル１３で捕らえ該伝熱管内部の水道水により冷却してから大気へ放出するので、大気への熱負荷は軽減する。
逆に、熱風によって温まった該伝熱管内の水道水を浴槽へ使用すると共に太陽電池パネル１２の発電電力又は常用交流電源により運転するクロスフローファン１５・１６により、暖かい外気を該熱交換器コイル１３に吹き付けて、該伝熱管内の水道水を温めて浴槽へ使用して、風呂の追い焚きの光熱費の削減及び大気への熱負荷を軽減する。
【選択図】図２【図１】
0004273361.tif 000002
【図２】
0004273361.tif 000003
【図３】
0004273361.tif 000004
【図４】
0004273361.tif 000005
【図５】
0004273361.tif 000006
【図６】
0004273361.tif 000007
【図７】
0004273361.tif 000008
【図８】
0004273361.tif 000009
【図９】
0004273361.tif 000010
【図１０】
0004273361.tif 000011
【図１１】
0004273361.tif 000012
【図１２】
0004273361.tif 000013
【図１３】
0004273361.tif 000014
【図１４】
0004273361.tif 000015
【図１５】
0004273361.tif 000016
【図１６】
0004273361.tif 000017
【図１７】
0004273361.tif 000018
【図１８】
0004273361.tif 000019
【図１９】
0004273361.tif 000020
【図２０】
0004273361.tif 000021